(57)【特許請求の範囲】
【請求項１】
第１の時点における被験者の血糖値に関する第１血糖値情報及び／又は前記第１の時点から所定時間経過した後の第２の時点における被験者の血糖値に関する第２血糖値情報を取得する工程と、
前記被験者の皮膚に、組織液を収集可能な収集部材を前記第１の時点から第２の時点まで配置する工程と、
被験者の皮膚に所定時間配置された収集部材に収集された組織液に含まれるグルコースの量に関するグルコース情報を取得する工程と、
第１血糖値情報及び／又は第２血糖値情報と、グルコース情報とに基づいて、被験者における低血糖状態の存否に関する診断を支援する診断支援情報を生成する工程と
を含むことを特徴とする、診断支援方法。
【請求項２】
診断支援情報を生成する工程は、
第１血糖値情報及び／又は第２血糖値情報に基づいて、第１の時点から第２の時点までの所定時間におけるグルコース量の第１積算値を取得する工程、
グルコース情報に基づいて、第１の時点から第２の時点までの所定時間におけるグルコース量の第２積算値を取得する工程、及び
第１積算値及び第２積算値に基づいて診断支援情報を生成する工程を含む、請求項１に記載の診断支援方法。
【請求項３】
第１積算値が、第１血糖値情報及び第２血糖値情報に基づいて取得され、且つ
第１積算値が、血糖―時間グラフにおける、第１の時点を示す時間軸に垂直な直線と、第２の時点を示す時間軸に垂直な直線と、第１の時点の血糖値と第２の時点の血糖値とを結ぶ直線と、時間軸とによって囲まれる領域の面積である、請求項２に記載の診断支援方法。
【請求項４】
第２積算値が、収集部材に蓄積されたグルコースの量に基づき算出される値である、請求項２又は３に記載の診断支援方法。
【請求項５】
診断支援情報を生成する工程は、第１積算値と、第２積算値と、所定の条件とに基づいて、被験者における低血糖状態の存否に関する診断を支援する診断支援情報を生成する、請求項２〜４のいずれかに記載の診断支援方法。
【請求項６】
収集部材を配置する被験者の皮膚に微細孔を形成する工程をさらに含む請求項１〜５のいずれかに記載の診断支援方法。
【請求項７】
前記第１の時点が、被験者が就寝する前の時点であり、
前記第２の時点が、被験者が起床した後の時点である、請求項１〜６のいずれかに記載の診断支援方法。
【請求項８】
就寝前の被験者の血糖値に関する第１血糖値情報及び／又は起床後の被験者の血糖値に関する第２血糖値情報を取得する工程と、
被験者の就寝前から起床後まで、被験者の皮膚に組織液を収集可能な収集部材を配置する工程と、
収集部材に収集された組織液に含まれるグルコースの量に関するグルコース情報を取得する工程と、
第１血糖値情報及び／又は第２血糖値情報と、グルコース情報とに基づいて、被験者における低血糖状態の存否に関する診断を支援する診断支援情報を生成する工程と
を含むことを特徴とする、診断支援方法。
【請求項９】
被験者の組織液を収集可能な収集部材と、
被験者の皮膚に、第１の時点から、第１の時点から所定時間経過した第２の時点まで配置された収集部材に収集された組織液に含まれるグルコースの量に関するグルコース情報を取得する取得部と、
第１の時点における被験者の血糖値に関する第１血糖値情報及び／又は第２の時点における被験者の血糖値に関する第２血糖値情報と、グルコース情報とに基づいて、被験者における低血糖状態の存否に関する診断を支援する診断支援情報を生成する解析部と
を備えたことを特徴とする、診断支援システム。
【請求項１０】
解析部は、
第１血糖値情報及び／又は第２血糖値情報に基づいて、第１の時点から第２の時点までの所定時間におけるグルコース量の第１積算値を取得し、
グルコース情報に基づいて、第１の時点から第２の時点までの所定時間における被験者体内のグルコース量の第２積算値を取得し、
第１積算値及び第２積算値に基づいて診断支援情報を生成する、請求項９に記載の診断支援システム。
【請求項１１】
被験者の皮膚に微細孔を形成する微細孔形成装置をさらに含む請求項９または１０に記載の診断支援システム。
【請求項１２】
被験者の皮膚に、第１の時点から、第１の時点から所定時間経過した第２の時点まで配置された収集部材に収集された組織液に含まれるグルコースの量に関するグルコース情報を取得する取得部と、
第１の時点における被験者の血糖値に関する第１血糖値情報及び／又は第２の時点における被験者の血糖値に関する第２血糖値情報と、グルコース情報とに基づいて、被験者における低血糖状態の存否に関する診断を支援する診断支援情報を生成する解析部と
を備えたことを特徴とする、診断支援装置。
【発明の詳細な説明】
【技術分野】
【０００１】
本発明は診断支援方法、診断支援システム及び診断支援装置に関する。さらに詳しくは、被験者における低血糖状態の存否に関する診断を支援する診断支援情報を生成する診断支援方法、診断支援システム及び診断支援装置に関する。
【背景技術】
【０００２】
糖尿病患者は、睡眠時に低血糖状態（一般に、血糖値が７０ｍｇ／ｄｌ以下に低下した状態のこと）に陥る、いわゆる夜間低血糖を発症することがある。このような夜間低血糖を診断するために、例えば特許文献１に開示されている穿刺装置を用いて夜間に被験者の皮膚を穿刺して採血し、血糖値を測定することが行われている。
【０００３】
しかしながら、このような夜間低血糖の診断は、夜間の一時点における血糖値のみに基づくものであるので、その診断結果の信頼性は充分ではなかった。また、夜間に起きて採血をしなければならないので、睡眠を妨げられることを含め被験者にとって負担が大きい。
【０００４】
そこで、このような問題を改善するために、連続的にグルコース濃度を測定する装置を用いて夜間低血糖を診断することが提案されている。例えば、特許文献２には、被験者の皮膚に電流を流して体内のグルコースを電気浸透させる電極と、皮膚から浸透したグルコースと反応して信号を出力するバイオセンサと、出力された信号から２０分毎にグルコース濃度を読み取って記憶するマイクロプロセッサとを備えた装置が開示されている。
【０００５】
また、特許文献３には、被験者の皮下組織に差し込まれるグルコースセンサと、このグルコースセンサから所定時間毎に信号を取得して皮下組織に存在するグルコース濃度を測定するグルコースモニタとを備えたグルコースモニタシステムが開示されている。
【０００６】
特許文献２又は３に記載された装置を用いれば、特許文献１記載の方法とは異なり被験者の血糖値を連続的に取得することができるため、低血糖状態の存否に関する診断精度を向上させることができる。
【先行技術文献】
【特許文献】
【０００７】
【特許文献１】国際公開第２００３／０３７１８５号パンフレット
【特許文献２】特表２００４−５０６４６８号公報
【特許文献３】特表２００２−５４１８８３号公報
【発明の概要】
【発明が解決しようとする課題】
【０００８】
しかしながら、特許文献２記載の装置では、電極及びバイオセンサを含む装置を被験者の腕に装着しておく必要があり、また特許文献３記載の装置では、被験者の皮膚にグルコースセンサを差し込んでおく必要がある。そのため、特許文献２及び３の装置を用いた方法は、装置を装着しておくことが被験者にとって負担であった。特に、睡眠時に装置を装着しておくことは被験者にとって大きな負担となっていた。
【０００９】
本発明は、このような事情に鑑みてなされたものであり、従来に比べて被験者の負担を減らすことができる診断支援方法、診断支援システム及び診断支援装置を提供することを目的としている。
【課題を解決するための手段】
【００１０】
本発明の第１の観点に係る診断支援方法は、第１の時点における被験者の血糖値に関する第１血糖値情報及び／又は前記第１の時点から所定時間経過した後の第２の時点における被験者の血糖値に関する第２血糖値情報を取得する工程と、
前記被験者の皮膚に、組織液を収集可能な収集部材を前記第１の時点から第２の時点まで配置する工程と、
被験者の皮膚に所定時間配置された収集部材に収集された組織液に含まれるグルコースの量に関するグルコース情報を取得する工程と、
第１血糖値情報及び／又は第２血糖値情報と、グルコース情報とに基づいて、被験者における低血糖状態の存否に関する診断を支援する診断支援情報を生成する工程と
を含むことを特徴としている。
【００１１】
本発明の第１の観点に係る診断支援方法では、第１の時点における被験者の血糖値に関する第１血糖値情報及び／又は当該第１の時点から所定時間経過した後の第２の時点における被験者の血糖値に関する第２血糖値情報と、被験者の皮膚に第１の時点から第２の時点まで配設された収集部材に収集された組織液に含まれるグルコースの量に関するグルコース情報と、に基づいて被験者における低血糖状態の存否に関する診断を支援する診断支援情報が生成される。この方法では、収集部材を皮膚に配置しておくだけで組織液が収集部材に収集され、この収集部材からグルコース情報を取得することができるので、大型の装置を腕に装着したり、センサを皮膚に差し込んだりする従来技術に比べて、装着時の被験者の負担が大幅に軽減される。また、寝返りなどによって収集部材が被験者の皮膚から外れることもなく、確実に組織液の収集を行うことができる。
【００１２】
診断支援情報を生成する工程は、
第１血糖値情報及び／又は第２血糖値情報に基づいて、第１の時点から第２の時点までの所定時間におけるグルコース量の第１積算値を取得する工程、
グルコース情報に基づいて、第１の時点から第２の時点までの所定時間におけるグルコース量の第２積算値を取得する工程、及び
第１積算値及び第２積算値に基づいて診断支援情報を生成する工程を含むものとすることができる。
【００１３】
第１積算値が、第１血糖値情報及び第２血糖値情報に基づいて取得され、且つ
第１積算値が、血糖―時間グラフにおける、第１の時点を示す時間軸に垂直な直線と、第２の時点を示す時間軸に垂直な直線と、第１の時点の血糖値と第２の時点の血糖値とを結ぶ直線と、時間軸とによって囲まれる領域の面積であることが好ましい。
【００１４】
第２積算値を、収集部材に蓄積されたグルコースの量に基づき算出される値とすることができる。
【００１５】
診断支援情報を生成する工程は、第１積算値と、第２積算値と、所定の条件とに基づいて、被験者における低血糖状態の存否に関する診断を支援する診断支援情報を生成することが好ましい。
【００１６】
収集部材を配置する被験者の皮膚に微細孔を形成する工程をさらに含むことが好ましい。
【００１７】
前記第１の時点を、被験者が就寝する前の時点とし、前記第２の時点を、被験者が起床した後の時点とすることができる。
【００１８】
本発明の第２の観点に係る診断支援方法は、就寝前の被験者の血糖値に関する第１血糖値情報及び／又は起床後の被験者の血糖値に関する第２血糖値情報を取得する工程と、
被験者の就寝前から起床後まで、被験者の皮膚に組織液を収集可能な収集部材を配置する工程と、
収集部材に収集された組織液に含まれるグルコースの量に関するグルコース情報を取得する工程と、
第１血糖値情報及び／又は第２血糖値情報と、グルコース情報とに基づいて、被験者における低血糖状態の存否に関する診断を支援する診断支援情報を生成する工程と
を含むことを特徴としている。
【００１９】
本発明の診断支援システムは、被験者の組織液を収集可能な収集部材と、
被験者の皮膚に、第１の時点から、第１の時点から所定時間経過した第２の時点まで配置された収集部材に収集された組織液に含まれるグルコースの量に関するグルコース情報を取得する取得部と、
第１の時点における被験者の血糖値に関する第１血糖値情報及び／又は第２の時点における被験者の血糖値に関する第２血糖値情報と、グルコース情報とに基づいて、被験者における低血糖状態の存否に関する診断を支援する診断支援情報を生成する解析部と
を備えたことを特徴としている。
【００２０】
解析部は、
第１血糖値情報及び／又は第２血糖値情報に基づいて、第１の時点から第２の時点までの所定時間におけるグルコース量の第１積算値を取得し、
グルコース情報に基づいて、第１の時点から第２の時点までの所定時間における被験者体内のグルコース量の第２積算値を取得し、
第１積算値及び第２積算値に基づいて診断支援情報を生成するものとすることができる。
【００２１】
被験者の皮膚に微細孔を形成する微細孔形成装置をさらに含むことが好ましい。
【００２２】
本発明の診断支援装置は、被験者の皮膚に、第１の時点から、第１の時点から所定時間経過した第２の時点まで配置された収集部材に収集された組織液に含まれるグルコースの量に関するグルコース情報を取得する取得部と、
第１の時点における被験者の血糖値に関する第１血糖値情報及び／又は第２の時点における被験者の血糖値に関する第２血糖値情報と、グルコース情報とに基づいて、被験者における低血糖状態の存否に関する診断を支援する診断支援情報を生成する解析部と
を備えたことを特徴としている。
【発明の効果】
【００２３】
本発明の診断支援方法、診断支援システム及び診断支援装置によれば、低血糖状態の存否を関する診断を支援する情報を生成するに際し、被験者の負担を減らすことができる。
【図面の簡単な説明】
【００２４】
【図１】本発明の診断支援システムの一実施の形態の全体構成を示すブロック図である。
【図２】本発明の診断支援装置の一実施の形態の外観を示す斜視説明図である。
【図３】カートリッジ配置部に分析用カートリッジが配置された状態を示す概略断面図である。
【図４】本発明の診断支援システムにおける微細孔形成装置の一例の斜視説明図である。
【図５】図４に示される微細孔形成装置に装着される微細針チップの斜視図である。
【図６】微細孔形成装置によって微細孔が形成された皮膚の断面説明図である。
【図７】本発明の診断支援方法において用いられる収集部材の一例の斜視説明図である。
【図８】図７のＡ−Ａ線断面図である。
【図９】本発明の診断支援方法の流れを示すフローチャートである。
【図１０】本発明の診断支援方法における解析処理の流れを示すフローチャートである。
【図１１】横軸を時間とし、縦軸を血糖値とする血糖―時間グラフである。
【図１２】カットオフラインの一例を示す図である。
【図１３】複数の被験者についての血糖ＡＵＣの解析データを示す図である。
【図１４】カットオフラインの求め方を説明する図である。
【図１５】（ａ）は、就寝前の時刻ｔ１における血糖値ＢＧ１のみに基づいてＡＵＣ１を算出する場合の模式図であり、（ｂ）は、起床後の時刻ｔ２における血糖値ＢＧ２のみに基づいてＡＵＣ１を算出する場合の模式図である
【図１６】就寝前の血糖値だけを用いたスクリーニングの例を示す図である。
【発明を実施するための形態】
【００２５】
〔診断支援システム〕
図１は、本発明の一実施の形態に係る診断支援システムの全体構成を示すブロック図である。
夜間低血糖は、主にインシュリンなどの薬剤治療を受けている糖尿病患者においてみられる症状である。薬剤の投与量が過剰に多かったり、投与されている薬剤が過剰な効用を示すと、睡眠時に血糖値が過剰に低下し、低血糖状態に陥ることがある。夜間低血糖状態に陥ると、患者によっては夜間に目が覚めたり、手足の痺れが生じる。そのため、夜間低血糖状態の疑いのある患者においては、医師による診断の下で、薬剤の投与量を抑える、あるいは投与する薬剤を効用の小さい薬剤に切り替えるといった治療が必要になる。この診断支援システムは、被験者に夜間低血糖状態が存在した可能性が高いか否かに関する情報を提供することにより、このような医師による診断を支援するものである。
本明細書において、低血糖状態とは、被験者の血糖値が所定値を下回る状態を意味するものとする。以下に示す実施形態では、血糖値７０ｍｇ／ｄｌを下回る状態を低血糖状態であるとして説明するが、所定値は適宜決定される。
【００２６】
診断支援システムは、主な構成として、被験者の皮膚に微細孔を形成する微細孔形成装置２００と、微細孔が形成された皮膚から抽出される組織液を収集可能な収集部材１０と、診断支援装置２０とを備えている。診断支援装置２０は、検出部３０と、操作部３４と、制御部３５と、表示部３３とを備える。検出部３０は、収集部材１０に収集された組織液に含まれるグルコース及びナトリウムイオンを検出して検出信号を出力する。操作部３４は、自己血糖測定（ＳＭＢＧ）により得られた血糖値情報ＢＧ１及びＢＧ２並びにそれらの測定時刻ｔ１及びｔ２を入力するために設けられている。制御部３５は、検出部３０から出力された検出信号に基づいて、収集部材１０に収集された組織液に含まれるグルコースおよびナトリウムイオンの濃度を取得する。制御部３５は、操作部３４によって入力された血糖値情報ＢＧ１及びＢＧ２並びに測定時刻ｔ１及びｔ２に基づいて、第１の血糖―時間曲線下面積（ＡＵＣ１）を算出する。さらに、制御部３５は、得られたグルコース濃度およびナトリウムイオン濃度に基づいて、第２の血糖―時間曲線下面積（ＡＵＣ２）を算出する。制御部３５は、算出されたＡＵＣ１及びＡＵＣ２に基づいて、被験者に夜間低血糖状態が存在したか否かに関する診断支援情報を生成し、表示部３３に表示させる。
【００２７】
〔診断支援装置〕
図２は、本発明の一実施の形態に係る診断支援装置２０の外観を示す斜視説明図である。この診断支援装置２０は、収集部材１０の収集体１２に収集された組織液に含まれるグルコース濃度及びナトリウムイオン濃度を取得し、取得したグルコース濃度及びナトリウムイオン濃度並びに別途測定された血糖値に基づいて、被験者における低血糖状態の存否に関する診断を支援する診断支援情報を作成するためのものである。診断支援装置２０は、検出部３０と、取得部及び解析部を含む制御部３５と、診断支援情報を表示する表示部３３と、測定開始の指示などを行うための操作部としての操作ボタン３４とを備える。
【００２８】
診断支援装置２０は、厚みのある直方体形状の筐体を備えており、筐体上面の天板には凹部２１が形成されている。凹部２１には、当該凹部２１よりもさらに深く形成された凹部からなるカートリッジ配置部２２が設けられている。さらに凹部２１には、当該凹部２１の側壁の高さとほぼ同じ厚みを有する可動天板２３が連結されている。可動天板２３は、支軸２３ａを中心に折り畳むことによって、図２に示される状態から凹部２１内に収納し、又は凹部２１に収納された状態から図２に示されるように起立させることができる。カートリッジ配置部２２は、後述する分析用カートリッジ４０を収納することができる大きさを有している。
【００２９】
可動天板２３は、凹部２１に収納される方向に付勢されるように、支軸に支持されている。したがって、カートリッジ配置部２２に配置された分析用カートリッジ４０は、可動天板２３によって上方から押さえつけられる。
【００３０】
検出部３０は、収集体１２に収集された組織液（試料）に含まれる成分を検出するものであり、グルコース検出部３１と、ナトリウムイオン検出部３２とを備えている。
【００３１】
グルコース検出部３１は、可動天板２３の裏面、すなわち可動天板２３が凹部２１に収納されたときにカートリッジ配置部２２と対向する側の面に設けられている。グルコース検出部３１は、光を照射するための光源３１ａと、この光源３１ａによって照射された光の反射光を受光するための受光部３１ｂとを備えている。これにより、グルコース検出部３１は、カートリッジ配置部２２に配置された分析用カートリッジ４０に対して光を照射するとともに、照射された分析用カートリッジ４０からの反射光を受光できるように構成されている。
【００３２】
ナトリウムイオン検出部３２は、カートリッジ位置部２２の底面に設けられている。ナトリウムイオン検出部３２は、カートリッジ配置部２２の底面に設けられた長方形状を有する板状の部材を備え、この板状部材の略中央には一対のナトリウムイオン濃度測定用電極が設けられている。ナトリウムイオン濃度測定用電極は、ナトリウムイオン選択膜を備えた銀／塩化銀からなるナトリウムイオン選択性電極と、対電極である銀／塩化銀電極を含んでいる。
【００３３】
制御部３５は、診断支援装置２０の内部に設けられており、解析部であるＣＰＵや、記憶部であるＲＯＭ、ＲＡＭなどを含んでいる。ＣＰＵは、ＲＯＭに記憶されたプログラムを読み出して実行することにより、各部の動作を制御する。ＲＡＭは、ＲＯＭに記憶されたプログラムが実行される際のプログラムの展開領域として利用される。
【００３４】
診断支援装置２０は、その内部にポンプからなる供給部２４、収集体１２に収集された組織液を回収するための純水からなる回収液を収容するタンク２６、及び廃液を収容する廃液タンク２５を備えている。供給部２４は、タンク２６に空気を送り込むことにより、ニップル２４ａを介して、カートリッジ配置部２２に配置された分析用カートリッジ４０にタンク２６内に収容されている回収液を注入する。
【００３５】
廃液タンク２５は、供給部２４によって分析用カートリッジ４０に送液された純水が排出される機構であり、ニップル２５ａを介して排出された液体を収容する。
【００３６】
図３は、カートリッジ配置部２２に分析用カートリッジ４０が配置された状態を示す概略断面図である。まず図３を参照して分析用カートリッジ４０の構成について説明する。
【００３７】
分析用カートリッジ４０は、主な構成として、ゲル収容部４２と、グルコース反応体４１と、光導波部材４４とを備えている。ゲル収容部４２は、分析用カートリッジ４０の表面に形成された凹部からなる。ゲル収容部４２の底部には、カートリッジ配置部２２に設けられたニップル２４ａと連通する注入孔４２ａが設けられている。分析用カートリッジ４０の下面にはゲル収容部４２と連通する溝が形成されている。この溝とカートリッジ配置部２２の底部に設けられたナトリウムイオン検出部３２とによって流路４３ａが形成される。この流路４３ａの一部は、ナトリウムイオン検出部３２によりナトリウムイオン濃度が検出される第１貯留部４３とされている。流路４３ａの下流は、第２貯留部４５に連通している。第２貯留部４５は分析用カートリッジ４０の表面に設けられた凹部からなり、その開口が光導波路を有する光導波部材４４によって閉塞されている。この光導波部材４４の下面に、グルコースと反応して変色するグルコース反応体４１が設けられている。第２貯留部の底部には、カートリッジ配置部２２に設けられたニップル２５ａと連通する排出孔４５ａが設けられている。
【００３８】
診断支援装置２０は、次のようにして収集部材１０に収集された組織液に含まれるグルコース及びナトリウムイオン濃度を測定する。まず、図２において、一点鎖線で示されるように、被験者の皮膚に所定時間貼り付けられた収集部材１０が皮膚から取り外され、分析用カートリッジ４０のゲル収容部４２に貼り付けられる。この分析用カートリッジ４０が診断支援装置２０のカートリッジ配置部２２に配置され、可動天板２３が閉じられる。
【００３９】
操作ボタン３４によって測定開始が指示されると、供給部３４からタンク２６に向けて空気が供給され、タンク２６からニップル２４ａに向けて回収液が送られる。回収液は注入孔４２ａからゲル収容部４２に注入され、ゲル収容部４２が回収液で満たされる。この状態で所定時間が経過すると、収集体１２に収集された組織液が回収液に拡散する。所定時間が経過したら、供給部２４はバイパス路２４ａを介してゲル収容部４２に空気を送り込む。これにより、ゲル収容部４２内の液体が流路４３ａを通じて第１貯留部４３および第２貯留部４５に送液される。
【００４０】
ナトリウムイオン検出部３２は、ナトリウムイオン濃度測定用電極によって第１貯留部４３に貯留された液体に一定電圧を印加する。このときの電流値は、液体に含まれるナトリウムイオン濃度に比例する。ナトリウムイオン検出部３２は、得られた電流値を検出信号として制御部３５に出力する。制御部３５は、検出信号に含まれる電流値と予め制御部３５の記憶部に記憶されている検量線とに基づいて、ナトリウムイオン濃度を取得する。
【００４１】
第２貯留部では、回収液中のグルコースとグルコース反応体４１とが反応し、グルコース反応体４１が変色する。グルコース検出部３１は、光源３１ａから光導波部材４４に向かって光を照射し、光導波部材４４から出射した光を受光部３１ｂによって受光する。光源３１ａから光が照射されると、光は、変色したグルコース反応体４１により吸光されながら、光導波部材４４の内部で反射を繰り返して受光部３１ｂに入射する。したがって、受光部３１ｂにおける受光量はグルコース反応体４１の変色度合い、ひいては回収液中のグルコース量に比例する。グルコース検出部３１は、得られた受光量を検出信号として制御部３５に出力する。制御部３５は、検出信号に含まれる受光量と予め制御部３５の記憶部に記憶されている検量線とに基づいてグルコース濃度を取得する。
【００４２】
ナトリウムイオン濃度およびグルコース濃度が取得されると、供給部２４から分析用カートリッジ４０にさらに空気が送り込まれる。これにより回収液が排出孔４５ａおよびニップル２５ａを介して廃液タンク２５に送られ、一連の測定が終了する。
【００４３】
〔微細孔形成装置〕
つぎに被験者の皮膚に微細孔を形成する微細孔形成装置の一例について説明する。微細孔形成装置は、被験者の皮膚に多数の微細な孔を形成して当該被験者の皮膚からの組織液の抽出を促進する装置である。
【００４４】
図４は、本発明の診断支援システムにおける微細孔形成装置の一例に係る穿刺具１００の斜視説明図であり、図５は、図４に示される穿刺具１００に装着される微細針チップ２００の斜視図であり、図６は、穿刺具１００によって微細孔が形成された皮膚の断面説明図である。
【００４５】
図４〜６に示されるように、穿刺具１００は、滅菌処理された微細針チップ２００を装着して、当該微細針チップ２００の微細針２０１を生体の表皮（被験者の皮膚３００）に当接させることによって、被験者の皮膚３００に組織液の抽出孔（微細孔３０１）を形成する装置である。
【００４６】
図４に示されるように、穿刺具１００は、筐体１０１と、この筐体１０１の表面に設けられたリリースボタン１０２と、筐体１０１の内部に設けられたアレイチャック１０３及びバネ部材１０４と、筐体１０１の下部１０１ａに形成された鍔部とを備えている。筐体１０１の下部１０１ａの下端面（皮膚に当接する面）には、前記微細針チップ２００が通過可能な開口（図示せず）が形成されている。バネ部材１０４はアレイチャック１０３を下端面に向かう方向に付勢する機能を有する。アレイチャック１０３は下端に微細針チップ２００を装着することができる。微細針チップ２００の下面には、複数の微細針２０１が形成されている。微細針チップ２００の下面は、１０ｍｍ（長辺）×５ｍｍ（短辺）の大きさからなる。また、穿刺具１００は、アレイチャック１０３をバネ部材１０４の付勢力に逆らって上方（反穿刺方向）に押し上げた状態で固定する固定機構（図示せず）を有しており、使用者（被験者）がリリースボタン１０２を押下することにより、当該固定機構によるアレイチャック１０３の固定が解除され、バネ部材１０４の付勢力によって当該アレイチャック１０３が移動し、開口から突出した微細針チップ２００の微細針２０１が皮膚を穿刺するように構成されている。これにより、図５に示すように、皮膚３００の表皮内にとどまり真皮までは到達しないような大きさの微細孔３０１が被験者の皮膚に形成される。
【００４７】
〔収集部材〕
つぎに被験者の皮膚から組織液を収集する収集部材１０について説明する。収集部材１０は被験者の皮膚から組織液を収集するために被験者の皮膚に貼付され、所定時間経過後に皮膚から取り外されて診断支援装置による測定に供される。
【００４８】
図７は、保持シート１１と、この保持シート１１に保持された収集体１２とを備えた収集部材１０の斜視説明図であり、図８は、図７のＡ−Ａ線断面図である。
【００４９】
収集体１２は、被験者の皮膚から抽出した組織液を保持可能な保水性を有するゲルからなっており、抽出媒体としての純水を含有している。このゲルは、組織液を収集することが可能であれば特に限定されないが、ポリビニルアルコールやポリビニルピロリドンからなる群より選ばれる少なくとも一種の親水性ポリマーから形成されたゲルが好ましい。ゲルを形成する親水性ポリマーは、ポリビニルアルコール単独又はポリビニルピロリドン単独であってもよく、また両者の混合物であってもよいが、ポリビニルアルコール単独又はポリビニルアルコールとポリビニルピロリドンとの混合物であることがより好ましい。
【００５０】
ゲルは、親水性ポリマーを水溶液中で架橋する方法により形成することができる。ゲルは、親水性ポリマーの水溶液を基材上に塗工して塗膜を形成し、該塗膜中に含まれる親水性ポリマーを架橋する方法により形成することができる。親水性ポリマーの架橋法としては、化学架橋法や放射線架橋法などがあるが、ゲル中に各種化学物質が不純物として混入し難い点より、放射線架橋法を採用することが望ましい。
【００５１】
収集体１２は、図７〜８に示される例では直方体形状を呈しており、皮膚と当接する面のサイズは７ｍｍ×１２ｍｍである。ただし、収集体１２の形状及びサイズは、これに限定されるものではない。
【００５２】
保持シート１１は、小判形状のシート本体１１ａと、このシート本体１１ａの片面に形成された粘着剤層１１ｂとで構成されており、前記粘着剤層１１ｂが形成された側の面が粘着面とされている。収集体１２は、同じく小判形状の、台紙としても機能する剥離シート１３のほぼ中央に配設されており、この収集体１２を覆うように前記保持シート１１が剥離シート１３に貼付されている。収集体１２は、保持シート１１の粘着面の一部によって当該保持シート１１に保持されている。保持シート１１の面積は、組織液収集時における収集体１２の乾燥を防ぐために、収集体１２を覆うことが可能な大きさを有している。すなわち、保持シート１１によって収集体１２を覆うことにより、組織液収集時に皮膚と保持シート１１との間を気密に保つことができ、組織液収集時に収集体１２に含まれる水分が蒸発するのを抑制することができる。
【００５３】
保持シート１１のシート本体１１ａは、無色透明又は有色透明であり、当該シート本体１１ａの表面側（粘着剤層１１ｂと反対側の面）から、保持シート１１に保持されている収集体１２を目視にて容易に確認することができる。シート本体１１ａは、組織液の蒸発や収集体の乾燥を防ぐため透湿性が低いものが好ましい。シート本体１１ａの材質としては、例えばポリエチレンフィルム、ポリプロピレンフィルム、ポリエステルフィルム、ポリウレタンフィルムなどが挙げられ、その中でもポリエチレンフィルム、ポリエステルフィルムが好ましい。シート本体１１ａの厚さは、特に限定されないが、概ね０．０２５〜０．５ｍｍ程度である。
【００５４】
収集部材１０は、収集体１２が被験者の微細孔形成領域（組織液の抽出を促進させるために前記穿刺具１００によって被験者の皮膚３００に複数の微細孔３０１が形成された領域）に配置されるように、保持シート１１の粘着面によって当該被験者の皮膚３００に貼付される。そして、収集体１２を微細孔形成領域に配置した状態で所定時間、例えば６０分以上、好ましくは１８０分以上放置することにより、微細孔を介して抽出される組織液を当該収集体１２に収集する。
【００５５】
〔診断支援方法〕
つぎに前記診断支援システムを用いた診断支援方法について説明する。
図９は、本発明の診断支援方法の流れを示すフローチャートである。
【００５６】
まず、ステップＳ１において、被験者は就寝前の第１の時点（時刻ｔ１）で適宜の方法により血糖値を測定し、測定値ＢＧ１（第１血糖値情報）及び測定時刻ｔ１を記録する。
血糖測定方法は、血糖値を測定できる方法であれば特に限定されず、従来公知の方法が適用できる。血糖値の測定には、迅速な測定が可能である点で自己血糖測定機器を用いることが好ましい。自己血糖測定機器としては市販の機器を用いることができ、例えば、グルテストエブリ（三和化学研究所）、ワンタッチウルトラ（ジョンソンアンドジョンソン）、ニプロフリースタイル（ニプロ）、ナチュラレット（アークレイ）などが挙げられる。      
【００５７】
ついで、ステップＳ２において、被験者の皮膚３００をアルコールなどを用いて清拭し、測定結果の外乱要因となる物質（汗、塵など）を除去する。その後、当該被験者の皮膚に、前述した微細針チップ２００を装着した穿刺具１００の鍔部１０５を配置し、ついでリリースボタン１０２を押圧して微細針チップ２００の微細針２０１を被験者の皮膚３００に接触させることで、皮膚３００に微細孔３０１を形成する。微細孔を形成することで、皮膚３００からの組織液の抽出を促進させることができる。また、このような構成によれば、就寝前に微細孔を形成すれば、その後は組織液の抽出を促進する処理を行う必要がない。そのため、例えばイオントフォレイシスのように、睡眠中に電気を印加したりする必要がなく、被験者の睡眠に及ぼす影響が小さくて済む。
【００５８】
ついで、ステップＳ３において、穿刺具１００を被験者の皮膚３００から離し、その後微細孔３０１が形成された領域（微細孔形成領域）に収集体１２が配置されるように、収集部材１０の保持シート１１を被験者の皮膚３００に貼付する。収集部材１０を皮膚に貼付した状態で被験者は適時就寝をする。被験者はシート状の部材を皮膚に貼付しているだけであるので、装置を腕に装着したり、センサを皮膚に差し込んだりする従来技術に比べて負担が大幅に軽減される。また、寝返りなどによって収集部材１０が被験者の皮膚から外れることもなく、確実に組織液を収集することができる。
【００５９】
ついで、起床後において、被験者は皮膚に貼付しておいた収集部材１０を取り外す（ステップＳ４）。
ついで、被験者は、ステップＳ５においてステップＳ１と同様にして、第２の時点（時刻ｔ２）で適宜の方法により血糖値を測定し、測定値ＢＧ２（第２血糖値情報）及び測定時刻ｔ２を記録する。
【００６０】
ついで、ステップＳ６において、被験者により、測定値ＢＧ１及びＢＧ２、並びに時刻ｔ１及びｔ２が操作ボタン３４の操作により診断支援装置２０に入力される。
ついで、ステップＳ７において、被験者の皮膚３００から取り外された収集部材１０が分析用カートリッジ４０の所定箇所に貼付され、この分析用カートリッジ４０が診断支援装置２０のカートリッジ配置部２２に配置される。
【００６１】
ついで、ステップＳ８において、制御部３５は、カートリッジ配置部２２に配置された分析用カートリッジ４０に対する所定の解析処理を実行する。
なお、前記実施の形態では、ステップＳ４において収集部材１０を取り外した後に、ステップＳ５において血糖値情報（ＢＧ１）を測定し、さらにステップＳ６において測定値ＢＧ１を入力しているが、起床後にまずＢＧ１を測定して入力を行い、その後収集部材を取り外すようにしてもよい。
【００６２】
つぎに診断支援方法における解析処理について詳細に説明する。図１０は、診断支援装置２０の制御部３５によって実行される処理の流れを示すフローチャートである。
まず、ステップＳ１０において、制御部３５は、ステップＳ６で入力された測定値ＢＧ１及びＢＧ２、並びに時刻ｔ１及びｔ２に基づいて、血中濃度―時間曲線下面積ＡＵＣ１（第１積算値）を算出する。
【００６３】
このＡＵＣ１は、図１１に示されるように、横軸を時間とし、縦軸を血糖値とする血糖―時間グラフを考えた場合に、第１の時点ｔ１を示す時間軸に垂直な直線ｍ１と、第２の時点ｔ２を示す時間軸に垂直な直線ｍ２と、第１の時点の血糖値ＢＧ１と第２の時点の血糖値ＢＧ２とを結ぶ直線ｎと、時間軸とによって囲まれる台形の面積（第１積算値）である。なお、図１１において、実際の血糖値は曲線で示されるように変化しているとする。このとき、前記曲線よりも下であって、時間軸よりも上の部分の面積（図において斜線で示される部分の面積）が実際のＡＵＣである。
【００６４】
ついで、ステップＳ１１ａにおいて、制御部３５は、上述した測定処理を実行することにより、収集部材１０に収集された組織液に含まれるグルコースおよびナトリウムイオン濃度を取得する。
【００６５】
ついで、ステップＳ１１において、制御部３５は、得られたグルコース濃度Ｇｌｃ及びナトリウムイオン濃度Ｎａと、抽出時間ｔ（ｔ２−ｔ１）を下記式（１）に代入し、ＡＵＣ２（第２積算値）を算出する。
ＡＵＣ２＝Ｇｌｃ×ｖｏｌ／{ａ×（Ｎａ×ｖｏｌ／ｔ）＋ｂ}  ・・・（１）
上記式において、ｖｏｌは収集体（ゲル）１２の体積である。ａ及びｂは実験により求められる定数である。
上記式（１）によってＡＵＣが算出される原理については、国際公開２０１０／０１３８０８号に詳細に説明されている。なお、国際公開第２０１０／０１３８０８号の内容は参照として本明細書中に組み込まれる。
【００６６】
ここで、本実施の形態による診断支援方法の原理について説明する。
ＡＵＣ１は、図１１からも明らかなように、第１の時点ｔ１から第２の時点ｔ２にかけて血糖値が直線的に変化したと仮定したときの血糖―時間曲線下面積である。別の観点からみれば、ＡＵＣ１とは、就寝前から起床後にかけて、血糖値が谷状の曲線を描くことなく単調に推移した場合の血糖―時間曲線下面積の理想値である。
【００６７】
一方、実際の血糖値曲線は、図１１に示したように、一般的に第１の時点ｔ１から第２の時点ｔ２にかけて谷状の曲線を描くため、実際のＡＵＣは、理想値であるＡＵＣ１とは乖離した値になる。被験者に夜間低血糖状態が存在した場合には、健常者に比べて血糖値曲線の谷がさらに深くなるため、実際のＡＵＣとＡＵＣ１との乖離もさらに大きくなる。したがって、実際のＡＵＣとＡＵＣ１とを比較してそれらの乖離の程度を把握することにより、被験者に夜間低血糖状態が存在した可能性が高いか否かを推測することができる。
【００６８】
そこで、本実施の形態の診断支援方法では、収集体（ゲル）に収集された組織液中のグルコース濃度及びナトリウムイオン濃度に基づいて実際のＡＵＣ（ＡＵＣ２）を推定し、ＡＵＣ１とＡＵＣ２とを比較することにより、被験者に夜間低血糖状態が存在した可能性を推定する。このように、収集体（ゲル）を用いて抽出される組織液中のグルコース濃度及びナトリウムイオン濃度並びに上記式（１）に基づいて算出（推定）されるＡＵＣと、実際に被験者の血液を複数回採取して得られる血糖値に基づいて得られるＡＵＣとが高い相関を示すことは実証されている（国際公開第２０１０／０１３８０８号パンフレット参照）。
【００６９】
なお、時刻ｔ１は就寝前にＳＭＢＧを測定した時刻であり、時刻ｔ２は起床後にＳＭＢＧを測定した時刻であり、このｔ１からｔ２までの時間は、厳密にいうと組織液の抽出時間（収集部材が皮膚に貼付されていた時間）とは相違している。しかしながら、時刻ｔ１から収集部材が皮膚に貼付されるまでの時間、及び収集部材が皮膚から取り外されてから時刻ｔ２までの時間は、いずれも通常２〜３分程度であり、収集部材が皮膚に貼付されている全体の時間（通常、７〜８時間程度）に比べるとわずかな時間であるので、前記相違を無視しても血糖ＡＵＣの算出結果にはほとんど影響がない。
【００７０】
ついで、ステップＳ１２において、制御部３５は、横軸をＡＵＣ１とし、縦軸をＡＵＣ２とする座標において、ステップＳ１０で算出されたＡＵＣ１及びステップＳ１１で算出されたＡＵＣ２で表される点（ＡＵＣ１、ＡＵＣ２）が、予め求めておいたカットオフライン（基準線）よりも下であるか否かの判断を行なう。
【００７１】
図１２は、このようなカットオフラインの一例を示す図であり、図１２において、Ｈで示される点は、ＡＵＣ１に対してＡＵＣ２の値が小さく、カットオフラインよりも下に位置する。すなわち、図１１において、時刻ｔ１から時刻ｔ２に至る間の血糖値の低下の程度が大きく（血糖値曲線の谷が深い）、血糖値が７０ｍｇ／ｄｌ以下に低下した状態（夜間低血糖）が起こっている可能性が高いと考えられる。一方、図１２において、Ｌで示される点は、ＡＵＣ１とＡＵＣ２の値の差（ＡＵＣ１−ＡＵＣ２）が小さく、カットオフラインよりも上に位置する。すなわち、図１１において、時刻ｔ１から時刻ｔ２に至る間の血糖値の低下の程度が小さく（血糖値曲線の谷が浅い）、血糖値が７０ｍｇ／ｄｌ以下に低下した状態（夜間低血糖）が起こっている可能性が低いと考えられる。
【００７２】
制御部３５は、点（ＡＵＣ１、ＡＵＣ２）が予め求めておいたカットオフライン（基準線）よりも下であると判断する（Ｙｅｓ）と、ステップＳ１３へ処理を進め、当該ステップＳ１３において、夜間低血糖状態が存在した可能性が高い旨の診断支援情報を生成する。一方、制御部３５は、点（ＡＵＣ１、ＡＵＣ２）が予め求めておいたカットオフライン（基準線）よりも上であると判断する（Ｎｏ）と、ステップＳ１４へ処理を進め、当該ステップＳ１４において、夜間低血糖状態が存在した可能性が低い旨の診断支援情報を生成する。
【００７３】
ついで、ステップＳ１５において、制御部３５は、ステップＳ１３又はステップＳ１４で生成した夜間低血糖状態が存在した可能性が高いか低いかに関する診断支援情報と、ステップＳ１０において算出されたＡＵＣ１と、ステップＳ１１において算出されたＡＵＣ２とを診断支援装置２０の表示部３３に表示する。
【００７４】
<カットオフラインの設定>
つぎにステップＳ１２で用いたカットオフラインの設定方法について説明する。
図１３は、複数の被験者について従来公知のＣＧＭＳ（持続血糖モニタリングシステム）を用いて得られた経時的な血糖値の変動データを解析した解析データを示す図である。横軸は就寝時（２２時）においてＣＧＭＳにより得られた血糖値と、起床時（８時）においてＣＧＭＳにより得られた血糖値とから、上記ＡＵＣ１の算出方法にしたがって算出したＡＵＣである。縦軸は、２２時から８時までの間にＣＧＭＳにより得られた血糖値を積分して得られたＡＵＣである。図１３において、横軸の値がＡＵＣ１に相当し、縦軸の値がＡＵＣ２に相当する。また、黒丸（●）は夜間低血糖状態が存在した陽性の被験者を示し、白丸（○）は夜間低血糖状態が存在しなかった陰性の被験者を示している。陽性群及び陰性群のそれぞれについて、ＡＵＣ１をｘとし、ＡＵＣ２をｙとする一次の近似式を求めることができる。
【００７５】
図１２に示されるデータ例では、陽性群の近似式は以下の式（１）となり、陰性群の近似式は以下の式（２）となる。
ｙ＝０．５５１１ｘ＋１７６．８５      ・・・・・・（１）
（Ｒ２＝０．８８１５）
ｙ＝０．６４６４ｘ＋３９６．２９      ・・・・・・（２）
（Ｒ２＝０．５９５６）
前記式（１）及び（２）で示される近似式は、図１３に示されるように交点を有する。陽性群の近似式をＹ＝ａＸ＋ｂ、陰性群の近似式をＹ＝ｃＸ＋ｄとすると、２つの近似式の交点（Ｐ，Ｑ）は
Ｐ＝（ｄ−ｂ）／（ａ−ｃ）
Ｑ＝（ａｄ−ｂｃ）／（ａ−ｃ）
で表される。
そして、この交点を通る直線をカットオフラインとすることができる。かかるカットオフラインは、スクリーニングの目的に応じて傾きを変更することができる。傾きがＡのときのカットオフラインはＹ＝ＡＸ−ＡＰ＋Ｑで表される。
【００７６】
前記カットオフラインの傾きによって、スクリーニングの感度及び特異性が決まる。例えば、図１４に示される３本のカットオフラインのうち、最も傾きの大きいカットオフラインＲ１は、陽性群よりも上方を通過する直線であるので、実際に夜間低血糖である被験者（陽性患者）を陽性（夜間低血糖の可能性が高い）と判断する可能性は高まるが、実際には夜間低血糖でない被験者（陰性患者）を夜間低血糖の可能性が高いと判断する場合がやや多くなる（擬陽性が増える）。つまり、感度を１００％に近づけることができるが、特異度がやや低下する。一方、最も傾きの小さいカットオフラインＲ３は、陰性群よりも下方を通過する直線であるので、実際は夜間低血糖ではない被験者（陰性患者）を陰性（夜間低血糖の可能性が低い）と判断する可能性は高まるが、実際には夜間低血糖である被験者（陽性患者）を夜間低血糖の可能性が低いと判断する場合がやや多くなる（擬陰性が増える）。つまり、特異度を１００％に近づけることができるが、感度がやや低下する。カットオフラインＲ２は、カットオフラインＲ３とカットオフラインＲ１の間の傾きであり、感度及び特異度をある程度満足させることができる。
【００７７】
〔他の変形例〕
なお、本発明は、前述した実施の形態に限定されるものではなく、種々の変更が可能である。
例えば、前述した実施の形態では、被験者の就寝前の時刻ｔ１における血糖値と、起床後の時刻ｔ２における血糖値とを測定し、両血糖値に基づいてＡＵＣ１を算出しているが、就寝前の時刻ｔ１における血糖値ＢＧ１だけ、又は、起床後の時刻ｔ２における血糖値ＢＧ２だけに基づいてＡＵＣ１を算出してもよい。
【００７８】
この変形例について図１５を参照して説明する。図１５（ａ）は、就寝前の時刻ｔ１における血糖値ＢＧ１のみに基づいてＡＵＣ１を算出する場合の模式図である。図１５（ｂ）は、起床後の時刻ｔ２における血糖値ＢＧ２のみに基づいてＡＵＣ１を算出する場合の模式図である。
【００７９】
図１５（ａ）の例では、ＡＵＣ１は、第１の時点ｔ１を示す時間軸に垂直な直線ｍ１と、第２の時点ｔ２を示す時間軸に垂直な直線ｍ２と、第１の時点の血糖値ＢＧ１を通過する時間軸に並行な直線ｎと、時間軸とによって囲まれる長方形の面積である。この例では、第２の時刻ｔ２における血糖値ＢＧ２は測定しない。第２の時刻ｔ２は、収集部材１０を取り外した時刻である。
【００８０】
図１５（ｂ）の例では、ＡＵＣ１は、第１の時点ｔ１を示す時間軸に垂直な直線ｍ１と、第２の時点ｔ２を示す時間軸に垂直な直線ｍ２と、第２の時点の血糖値ＢＧ２を通過する時間軸に並行な直線ｎと、時間軸とによって囲まれる長方形の面積である。この例では、第１の時刻ｔ１における血糖値ＢＧ１は測定しない。第１の時刻ｔ１は、収集部材１０を皮膚に貼り付けた時刻である。
このように、就寝前の時刻ｔ１における血糖値ＢＧ１だけ、又は、起床後の時刻ｔ２における血糖値ＢＧ２だけに基づいてＡＵＣ１を算出する形態であれば、血糖値を測定する回数が少なくて済む。被験者にとっても採血の回数が少なくて済み、負担が小さくなる。
【００８１】
図１６は、上記変形例にしたがってＣＧＭＳを用いて得られた経時的な血糖値の変動データを解析した解析データを示す図である。縦軸は、就寝前（２２時）の血糖値だけを用いて、図１５（ａ）を参照して説明した方法にしたがって算出したＡＵＣである。縦軸が異なる以外は図１２を参照して説明した形態と同様の要領で複数の被験者をスクリーニングした。この場合、感度８９％、特異度９６％であり、就寝前の血糖値だけでも良好にスクリーニングされていることが分かる。
【００８２】
また、前述した実施の形態では、就寝前の血糖値ＢＧ１及び起床後の血糖値ＢＧ２から算出されるＡＵＣ１、及び、ＡＵＣ２の２軸に基づいて低血糖状態を評価する例を示したが、このような構成に限られない。例えば、ＢＧ１、ＢＧ２、ＡＵＣ２の３軸に基づいて低血糖状態を評価する形態であってもよい。
【００８３】
また、前述した実施の形態では、陽性群を近似する直線と陰性群を近似する直線との交点を通るカットオフラインを設定し、このカットオフラインよりも（ＡＵＣ１，ＡＵＣ２）が上であるか下であるかという条件に基づいて、夜間低血糖状態が存在した可能性が高いか否かの判断をしているが、このような構成に限られない。例えば、ＡＵＣ１とＡＵＣ２との差が所定の閾値よりも大きいか否かという条件、又はＡＵＣ２／ＡＵＣ１が所定の閾値よりも大きいか否かという条件に基づいて、夜間低血糖が存在した可能性が高いか否かの判断を行うこともできる。
【００８４】
また、前述した実施の形態では、単体の診断支援装置２０が、グルコース濃度及びナトリウムイオン濃度の取得、ＡＵＣ１及びＡＵＣ２の算出、並びに診断支援情報の生成を行っているが、グルコース濃度及びナトリウムイオン濃度の取得する装置、ＡＵＣ１及びＡＵＣ２の算出する装置、及び診断支援情報の生成を行う装置を別の装置とすることもできる。
【００８５】
また、前述した実施の形態では、夜間低血糖状態の存否に関する診断支援情報を生成する形態を例にとって説明しているが、本発明の診断支援方法によれば、夜間に限らず昼間における低血糖状態の存否に関する診断支援を行うこともできる。さらに、収集部材を皮膚に貼付する第１の時点から第２の時点に至るまで、被験者は必ずしも就寝していなくてもよく、部分的に目を覚ましている時間帯があってもよい。
【符号の説明】
【００８６】
１０      収集部材
１１      保持シート
１２      収集体
２０      診断支援装置
２２      カートリッジ配置部
２３      可動天板
２４      送液部
２５      廃液部
２６      タンク
３０      検出部
３１      グルコース検出部
３２      ナトリウムイオン検出部
３３      表示部
３４      操作ボタン
３５      制御部
４０      分析用カートリッジ
１００      穿刺具（微細孔形成装置）
２００      微細針チップ
２０１      微細針
３００      皮膚
３０１      微細孔
【図１】
0005419771.tif 000002
【図２】
0005419771.tif 000003
【図６】
0005419771.tif 000004
【図７】
0005419771.tif 000005
【図８】
0005419771.tif 000006
【図９】
0005419771.tif 000007
【図１０】
0005419771.tif 000008
【図１１】
0005419771.tif 000009
【図１２】
0005419771.tif 000010
【図１３】
0005419771.tif 000011
【図１４】
0005419771.tif 000012
【図１５】
0005419771.tif 000013
【図１６】
0005419771.tif 000014
【図３】
0005419771.tif 000015
【図４】
0005419771.tif 000016
【図５】
0005419771.tif 000017